(57)【要約】【課題】不正に施設内に侵入されても、施設内の建物への侵入を防止できる高いセキュリティ性を備えた入退場管理システムを提供する。【解決手段】施設入口でカードリーダ１１により来訪者の人物ＩＤを読込み、この人物ＩＤをデータベース１７の登録情報と照合して施設内への入場の可否を判定し、入場可と判定するとゲート装置１４を開放して入場を許可し、入場許可した来訪者の人物ＩＤ情報をメモリ１６に記憶すると共に建物入口管理装置２０へ送信する施設入口管理装置１０と、建物入口でカードリーダ２１により来訪者の人物ＩＤを取得し、取得した人物ＩＤがメモリ２４に記憶されているか否かを確認し、記憶を確認したときのみロック装置２２のロックを解錠して建物内への入場を許可する建物入口管理装置２０とを備える構成とした。【選択図】  図２
2004318576.tif 000002
【特許請求の範囲】
【請求項１】
施設の入口で来訪者の人物ＩＤ情報を取得し、取得した人物ＩＤ情報に基づいて施設内への入場の可否を判定し、判定結果に基づいて施設内への入場の許可／拒否を制御する施設入口管理手段と、
施設内の建物入口で来訪者の人物ＩＤ情報を取得し、取得した人物ＩＤ情報が前記施設入口管理手段で入場許可された人物ＩＤ情報か否かを確認し、入場許可された人物ＩＤ情報であることを確認したときのみ建物内への入場を許可する建物入口管理手段と、
を備えたことを特徴とする入退場管理システム。
【請求項２】
前記施設入口管理手段は、
施設入口に設備され来訪者が人物ＩＤ情報を入力操作するＩＤ入力操作手段と、
該ＩＤ入力操作手段で取得した人物ＩＤ情報に基づいて入場の可否を判定する入場可否判定手段と、
該入場可否判定手段の判定結果に基づいて施設内への入場の許可／拒否を制御する制御手段と、
前記入場可否判定手段が入場を許可した来訪者の人物ＩＤ情報を記憶するＩＤ情報記憶手段と、
を備える構成である請求項１に記載の入退場管理システム。
【請求項３】
前記施設入口管理手段は、施設入口を通過する車両に搭載された車載端末から送信された来訪者の人物ＩＤ情報及び車両ＩＤ情報を受信する無線通信手段を備え、
前記入場可否判定手段が、前記無線通信手段から情報が入力したときは、受信した車両ＩＤ情報が輸送を営業とする車両を示す場合には人物ＩＤ情報に基づき、輸送を営業としない車両を示す場合には人物ＩＤ情報と車両ＩＤ情報に基づき、それぞれ入場の可否を判定する構成であり、
前記ＩＤ情報記憶手段が、前記入場可否判定手段が入場を許可した来訪者の人物ＩＤ情報、又は、来訪者の人物ＩＤ情報と車両ＩＤ情報を記憶する構成である請求項２に記載の入退場管理システム。
【請求項４】
前記施設入口管理手段は、
施設入口を通過する車両に搭載された車載端末から送信された来訪者の人物ＩＤ情報及び車両ＩＤ情報を受信する無線通信手段と、
該無線通信手段の受信情報に基づいて入場の可否を判定する入場可否判定手段と、
該入場可否判定手段の判定結果に基づいて施設内への入場の許可／拒否を制御する制御手段と、
前記入場可否判定手段が入場を許可した来訪者に関する情報を記憶するＩＤ情報記憶手段と、
を備え、
前記入場可否判定手段は、受信した車両ＩＤ情報が輸送を営業とする車両を示す場合には人物ＩＤ情報に基づき、輸送を営業としない車両を示す場合には人物ＩＤ情報及び車両ＩＤ情報に基づき、それぞれ入場の可否を判定する構成であり、
前記ＩＤ情報記憶手段は、前記入場可否判定手段が入場を許可した来訪者の人物ＩＤ情報、又は、来訪者の人物ＩＤ情報と車両ＩＤ情報を記憶する構成である請求項１に記載の入退場管理システム。
【請求項５】
前記建物入口管理手段は、
建物入口に設備され来訪者が人物ＩＤ情報を入力操作するＩＤ入力操作手段と、
該ＩＤ入力操作手段で取得した人物ＩＤ情報が前記施設入口管理手段で入場許可された人物ＩＤ情報か否かを確認するＩＤ情報確認手段と、
該ＩＤ情報確認手段が入場許可された人物ＩＤ情報であることを確認したときのみ建物入口のロック装置を解除するロック装置制御手段と、
を備える構成である請求項１〜４のいずれか１つに記載の入退場管理システム。
【請求項６】
前記ＩＤ情報確認手段は、前記施設入口管理手段から送信される人物ＩＤ情報を記憶する記憶手段を備え、前記ＩＤ入力操作手段で取得した人物ＩＤ情報を前記記憶手段の記憶情報と照合して入場許可された人物ＩＤ情報であることを確認する構成である請求項５に記載の入退場管理システム。
【請求項７】
前記ＩＤ情報確認手段は、前記ＩＤ入力操作手段で取得した人物ＩＤ情報を前記施設入口管理手段に送信し、施設入口管理手段から送信された照合結果を受信して取得した人物ＩＤ情報が入場許可された人物ＩＤ情報であることを確認する構成である請求項５に記載の入退場管理システム。
【請求項８】
前記施設入口管理手段及び建物入口管理手段の少なくとも一方に、身体的特徴に基づいて人物を認証する人物認証手段を備え、取得した前記人物ＩＤ情報と前記人物認証手段の認証結果を併用して入場の可否を判定する構成とした請求項１〜７のいずれか１つに記載の入退場管理システム。
【請求項９】
施設入口を通過する車両に身体的特徴に基づいて人物を認証する人物認証手段を搭載し、該人物認証手段で認証した来訪者の人物ＩＤ情報を車載端末の記憶手段に記憶し、施設入口で前記記憶した人物ＩＤ情報を車両ＩＤ情報と共に前記施設入口管理手段に送信する構成である請求項３又は４に記載の入退場管理システム。
【請求項１０】
来訪者は、施設の発行する固有の人物ＩＤ情報を記憶させたカードを用いる構成とした請求項１〜９のいずれか１つに記載の入退場管理システム。
【請求項１１】
前記施設入口管理手段は、施設から出場する車両の車載端末から送信された来訪者の人物ＩＤ情報及び車両ＩＤ情報を受信したときに、受信した車両ＩＤ情報が輸送を営業とする車両を示す場合には人物ＩＤ情報を出場記録として記憶し、輸送を営業としない車両を示す場合には人物ＩＤ情報及び車両ＩＤ情報を出場記録として記憶する構成である請求項３又は４に記載の入退場管理システム。
【発明の詳細な説明】
【０００１】
【発明の属する技術分野】
本発明は、企業や官庁等の施設における入退場を管理する入退場管理システムに関し、特に、施設内の建物への入場管理機能を高めた入退場管理システムに関する。
【０００２】
【従来の技術】
従来のこの種の入退場管理システムの一例を以下に説明する。
車両に車載端末機を搭載し、車両の搭乗者全員は予め施設側から個々に発行されたＩＤカードに記憶されている人物ＩＤ及びＩＤタグに記憶された車両ＩＤを車載端末機に予め読込ませ記憶させる。施設入口の車両検知器の検知領域に車両が進入し、施設側の送受信アンテナからの電波を車両側が受信すると、予め記憶させた搭乗者全員の人物ＩＤ及び車両ＩＤを車両側から送信する。施設側では、車両側から送信された人物ＩＤ及び車両ＩＤを送受信アンテナで受信してコントローラへ転送し、コントローラは人物ＩＤ及び車両ＩＤに基づいて車両及び搭乗者の入場の可否判定を行う。更に、施設入口の監視カメラで搭乗者を撮影し、受信した人物ＩＤの数と監視カメラで確認された搭乗人数が一致すれば、入場を許可する。或いは、施設入口に設備した測定装置で車両総重量を測定し、この測定した総重量と受信した車両ＩＤ情報及び人物ＩＤ情報から算出した総重量を比較し、その差が所定範囲内であれば入場を許可するというものである（例えば、特許文献１参照）。
【０００３】
【特許文献１】
特開２００２−３６６９９２号公報
【０００４】
【発明が解決しようとする課題】
しかしながら、上述した従来の入退場管理システムでは、来訪者のチェックを施設の入口だけでしか行わないため、入口以外の場所から施設内に侵入された場合、施設内の建物内に容易に侵入されてしまう危険性がある。また、車両重量を測定する方法においても、貨物車両の場合は積荷の内容が不明確であるため荷台等に隠れて施設に侵入することは可能であり、この場合も施設内の建物内に容易に侵入されてしまう危険性がある。このように、従来の入退場管理システムでは、施設内に侵入すれば施設内の建物内には容易に侵入でき、セキュリティ面で不十分である。
【０００５】
本発明は上記問題点に着目してなされたもので、不正な方法により施設内に侵入されても、施設内の建物への侵入を防止できるセキュリティ性の高い入退場管理システムを提供することを目的とする。
【０００６】
【課題を解決するための手段】
このため、請求項１の発明における入退場管理システムでは、施設の入口で来訪者の人物ＩＤ情報を取得し、取得した人物ＩＤ情報に基づいて施設内への入場の可否を判定し、判定結果に基づいて施設内への入場の許可／拒否を制御する施設入口管理手段と、施設内の建物入口で来訪者の人物ＩＤ情報を取得し、取得した人物ＩＤ情報が前記施設入口管理手段で入場許可された人物ＩＤ情報か否かを確認し、入場許可された人物ＩＤ情報であることを確認したときのみ建物内への入場を許可する建物入口管理手段とを備えて構成した。
【０００７】
かかる構成では、施設入口管理手段は、施設の入口において来訪者の人物ＩＤを取得すると、取得した人物ＩＤ情報に基づいて施設内への入場の可否を判定する。建物入口管理手段は、建物入口において来訪者の人物ＩＤ情報を取得すると、取得した人物ＩＤ情報が施設入口管理手段で入場許可された人物ＩＤ情報か否かを確認する。入場許可された人物ＩＤ情報であることが確認されれば、施設入口において正当な入場処理により施設への入場が許可された来訪者と判断して建物内への入場を許可する。
【０００８】
前記施設入口管理手段は、具体的には請求項２のように、施設入口に設備され来訪者が人物ＩＤ情報を入力操作するＩＤ入力操作手段と、該ＩＤ入力操作手段で取得した人物ＩＤ情報に基づいて入場の可否を判定する入場可否判定手段と、該入場可否判定手段の判定結果に基づいて施設内への入場の許可／拒否を制御する制御手段と、前記入場可否判定手段が入場を許可した来訪者の人物ＩＤ情報を記憶するＩＤ情報記憶手段とを備える構成とするとよい。
【０００９】
かかる構成では、来訪者は施設入口に設備されたＩＤ入力操作手段で人物ＩＤの入力操作をする。ＩＤ入力操作手段は、入力操作により取得した人物ＩＤ情報を入場可否判定手段に転送し、入場可否判定手段は、転送された人物ＩＤ情報に基づいて施設への入場を許可してよい来訪者か否かを判定する。制御手段は、入場可否判定手段の判定結果に基づいて来訪者の入場の許可／拒否を制御する。ＩＤ情報記憶手段は、入場可否判定手段の判定結果に基づいて入場が許可された人物ＩＤ情報を記憶する。
【００１０】
請求項２の構成において、請求項３のように、前記施設入口管理手段は、施設入口を通過する車両に搭載された車載端末から送信された来訪者の人物ＩＤ情報及び車両ＩＤ情報を受信する無線通信手段を備え、前記入場可否判定手段が、前記無線通信手段から情報が入力したときは、受信した車両ＩＤ情報が輸送を営業とする車両を示す場合には人物ＩＤ情報に基づき、輸送を営業としない車両を示す場合には人物ＩＤ情報と車両ＩＤ情報に基づき、それぞれ入場の可否を判定する構成であり、前記ＩＤ情報記憶手段が、前記入場可否判定手段が入場を許可した来訪者の人物ＩＤ情報、又は、来訪者の人物ＩＤ情報と車両ＩＤ情報を記憶する構成とするとよい。
【００１１】
かかる構成では、来訪者が徒歩の場合も車両の場合も対応できるようになる。そして、車両から無線で人物ＩＤを送信できるので、車両を利用した来訪者は降車せずに施設内に入場できるようになる。また、来訪者がタクシーのような輸送を営業とする車両で来訪した場合、車両は引き返し来訪者だけが施設内に残ることになるので、この場合、入場可否判定手段は、車両ＩＤ情報から輸送を営業とする車両と判断すれば人物ＩＤ情報に基づいて入場の可否を判断し、ＩＤ情報記憶手段は、入場を許可された人物ＩＤ情報を記憶する。来訪者が自家用車等の輸送を営業としない車両で来訪した場合、来訪者と共に車両も施設内に残ることになるので、この場合、入場可否判定手段は、人物ＩＤ情報と車両ＩＤ情報に基づいて施設内への入場の可否を判定する。ＩＤ情報記憶手段は、入場を許可された人物ＩＤ情報と車両ＩＤ情報の両方を記憶する。これにより、来訪者だけでなく施設内に入場した車両についても管理できるようになる。
【００１２】
請求項４の発明では、前記施設入口管理手段は、施設入口を通過する車両に搭載された車載端末から送信された来訪者の人物ＩＤ情報及び車両ＩＤ情報を受信する無線通信手段と、該無線通信手段の受信情報に基づいて入場の可否を判定する入場可否判定手段と、該入場可否判定手段の判定結果に基づいて施設内への入場の許可／拒否を制御する制御手段と、前記入場可否判定手段が入場を許可した来訪者に関する情報を記憶するＩＤ情報記憶手段とを備え、前記入場可否判定手段は、受信した車両ＩＤ情報が輸送を営業とする車両を示す場合には人物ＩＤ情報に基づき、輸送を営業としない車両を示す場合には人物ＩＤ情報及び車両ＩＤ情報に基づき、それぞれ入場の可否を判定する構成であり、前記ＩＤ情報記憶手段は、前記入場可否判定手段が入場を許可した来訪者の人物ＩＤ情報、又は、来訪者の人物ＩＤ情報と車両ＩＤ情報を記憶する構成とするとよい。
【００１３】
かかる構成では、車両から無線で人物ＩＤを送信できるので、来訪者は降車せずに施設内に入場できるようになる。来訪者がタクシーのような輸送を営業とする車両で来訪した場合、車両は引き返し来訪者だけが施設内に残ることになるので、この場合、入場可否判定手段は、車両ＩＤ情報から輸送を営業とする車両と判断すれば人物ＩＤ情報に基づいて入場の可否を判断し、ＩＤ情報記憶手段は、入場を許可された人物ＩＤ情報を記憶する。来訪者が自家用車等の輸送を営業としない車両で来訪した場合、来訪者と共に車両も施設内に残ることになるので、この場合、入場可否判定手段は、人物ＩＤ情報と車両ＩＤ情報に基づいて施設内への入場の可否を判定する。ＩＤ情報記憶手段は、入場を許可された人物ＩＤ情報と車両ＩＤ情報の両方を記憶する。これにより、来訪者だけでなく施設内に入場した車両についても管理できるようになる。
【００１４】
前記建物入口管理手段は、具体的には請求項５のように、建物入口に設備され来訪者が人物ＩＤ情報を入力操作するＩＤ入力操作手段と、該ＩＤ入力操作手段で取得した人物ＩＤ情報が前記施設入口管理手段で入場許可された人物ＩＤ情報か否かを確認するＩＤ情報確認手段と、該ＩＤ情報確認手段が入場許可された人物ＩＤ情報であることを確認したときのみ建物入口のロック装置を解除するロック装置制御手段とを備える構成とするとよい。
【００１５】
かかる構成では、施設内への入場を許可された来訪者は建物入口に設備されたＩＤ入力操作手段で自身の人物ＩＤの入力操作をする。ＩＤ入力操作手段は、入力操作により取得した人物ＩＤ情報をＩＤ情報確認手段に転送し、ＩＤ情報確認手段は転送された人物ＩＤ情報が施設入口管理手段で入場許可された人物ＩＤ情報か否かを確認する。ロック装置制御手段は、ＩＤ情報確認手段の確認結果に基づいて入場許可された人物ＩＤ情報であることが確認されれば正当な入場処理がなされた来訪者と判断して建物入口のロック装置を解除する。
【００１６】
前記ＩＤ情報確認手段は、請求項６のように、前記施設入口管理手段から送信される人物ＩＤ情報を記憶する記憶手段を備え、前記ＩＤ入力操作手段で取得した人物ＩＤ情報を前記記憶手段の記憶情報と照合して入場許可された人物ＩＤ情報であることを確認する構成とするとよい。また、前記ＩＤ情報確認手段は、請求項７のように、前記ＩＤ入力操作手段で取得した人物ＩＤ情報を前記施設入口管理手段に送信し、施設入口管理手段から送信された照合結果を受信して取得した人物ＩＤ情報が入場許可された人物ＩＤ情報であることを確認する構成としてもよい。
【００１７】
請求項７の構成では、建物入口管理手段に人物ＩＤ情報の記憶手段を設けなくともよいようになる。
請求項８のように、前記施設入口管理手段及び建物入口管理手段の少なくとも一方に、身体的特徴に基づいて人物を認証する人物認証手段を備え、取得した前記人物ＩＤ情報と前記人物認証手段の認証結果を併用して入場の可否を判定する構成とするとよい。
【００１８】
かかる構成では、人物認証手段により来訪者を特定できるので、セキュリティが向上する。
請求項９のように、施設入口を通過する車両に身体的特徴に基づいて人物を認証する人物認証手段を搭載し、該人物認証手段で認証した来訪者の人物ＩＤ情報を車載端末の記憶手段に記憶し、施設入口で前記記憶した人物ＩＤ情報を車両ＩＤ情報と共に前記施設入口管理手段に送信する構成としてもよい。
【００１９】
請求項１０のように、来訪者は、施設の発行する固有の人物ＩＤ情報を記憶させたカードを用いる構成とするとよい。
請求項１１のように、前記施設入口管理手段は、施設から出場する車両の車載端末から送信された来訪者の人物ＩＤ情報及び車両ＩＤ情報を受信したときに、受信した車両ＩＤ情報が輸送を営業とする車両を示す場合には人物ＩＤ情報を出場記録として記憶し、輸送を営業としない車両を示す場合には人物ＩＤ情報及び車両ＩＤ情報を出場記録として記憶する構成とするとよい。
【００２０】
かかる構成では、施設内に入場した来訪者と車両の出場管理ができるようになる。
【００２１】
【発明の実施の形態】
以下、本発明の実施形態を図面に基づいて説明する。
図１は本発明に係る入退場管理システムを適用する施設の概略図、図２は本発明に係る入退場管理システムの第１実施形態の構成を示すブロック図である。
【００２２】
本実施形態の入退場管理システムは、図２に示すように、施設入口管理手段である施設入口管理装置１０と、建物入口管理手段である建物入口管理装置２０とを備えて構成される。
【００２３】
前記施設入口管理装置１０は、施設の入口で来訪者の人物ＩＤ情報を取得し、取得した人物ＩＤ情報に基づいて施設内への入場の可否を判定し、判定結果に基づいて施設内への入場の許可／拒否を制御すると共に、入場を許可した来訪者の人物ＩＤ情報を記憶するものであり、ＩＤ入力操作手段としてのカードリーダ１１と、アンテナ１２と、通信装置１３と、ゲート装置１４と、制御部１５と、ＩＤ情報記憶手段としてのメモリ１６と、データベース１７とを備えて構成される。
【００２４】
前記カードリーダ１１は、来訪者のカード挿入操作によりカードに記憶されている人物ＩＤを読取るためのものである。カードは、登録により予め施設から発行されるもので、来訪者固有の人物ＩＤが記憶されている。アンテナ１２は、来訪者の乗った車両が通信領域に進入すると車両に搭載された車載端末と交信して車両ＩＤ及び来訪者の人物ＩＤを受信するためのものであり、連続的或いは一定の時間間隔で電波を送信する。通信装置１３は、アンテナ１２を介して車両側からの信号を受信すると車両側に対して情報要求指令を送信し、車両からアンテナ１２を介して受信した人物ＩＤ情報及び車両ＩＤ情報を制御部１５に入力するものである。ここで、アンテナ１２及び通信装置１３で無線通信手段を構成し、例えばＤＳＲＣ（狭域通信）等の通信方式が考えられる。ゲート装置１４は、施設入口の通行を規制するもので、制御部１５により開閉制御される。そして、前記カードリーダ１１、アンテナ１２及びゲート装置１４は、図１に示すように施設入口に設備される。
【００２５】
制御部１５は、カードリーダ１１から人物ＩＤ情報が入力すると、データベース１７に予め登録されている入力した人物ＩＤ情報に関する登録情報を参照して来訪者の入場の可否を判定し、入場可と判定すればゲート装置１４を開駆動して入場を許可する。そして、入場許可した来訪者の人物ＩＤ情報をメモリ１６に記憶すると共に建物入口管理装置２０側にその人物ＩＤ情報を送信する。また、通信装置１３から人物ＩＤ情報及び車両ＩＤ情報が入力した場合、データベース１７の登録情報に基づいて受信した車両ＩＤ情報がタクシー、バス等の輸送を営業とする車両（以下、営業車とする）か否かを判定し、営業車であれば人物ＩＤ情報に基づいて入場の可否を判定し、受信した車両ＩＤ情報が来訪者の自家用車等の輸送を営業としない車両（以下、一般車とする）であれば、その車両ＩＤ情報人物ＩＤ情報の両方についてデータベース１７の登録情報に基づいて来訪者及び車両の入場の可否を判定する。そして、入場許可した来訪者の人物ＩＤ情報或いは人物ＩＤ情報と車両ＩＤ情報をそれぞれメモリ１６に記憶すると共に建物入口管理装置２０側に人物ＩＤ情報を送信する。ここで、制御部１５とデータベース１７で入場可否判定手段を構成する。また、制御部１５とゲート装置１４で入場の許可／拒否を制御する制御手段を構成する。データベース１７には、予め登録した来訪者固有の人物ＩＤ情報や一般車の固有の車両ＩＤ情報、営業車を示す車両ＩＤ情報等が予め記憶されている。尚、営業車については、予め登録することで輸送を営業とする車両であること示す車両ＩＤが付与され、車両ＩＤを有する営業車については自由に施設へ入場できるものとする。そして、前記通信装置１３、制御部１５、メモリ１６及びデータベース１７は、例えば図１に示すように施設入口近傍に設けられた管理所１に設備される。
【００２６】
前記建物入口管理装置２０は、施設の敷地内の建物入口で来訪者の人物ＩＤ情報を取得し、取得した人物ＩＤ情報が施設入口管理装置１０に記憶されているか否かを確認し、記憶を確認したときのみ建物内への入場を許可するものであり、ＩＤ入力操作手段としてのカードリーダ２１と、ロック装置２２と、施設入口管理装置１０の制御部１５と情報伝送可能に接続される制御部２３と、記憶手段としてのメモリ２４とを備えて構成される。
【００２７】
前記カードリーダ２１は、図１に示すように例えば施設内の建物２のドア３近傍に設備され、来訪者のカード挿入操作によりカードに記憶されている人物ＩＤを読取るためのものである。ロック装置２２は、建物２のドア３を施錠するもので、制御部２３により施錠／解錠が制御される。制御部２３は、カードリーダ２１から人物ＩＤ情報が入力すると、この人物ＩＤ情報がメモリ２４に記憶されているか否かを確認し、記憶されていれば正当な入場処理を経て入場した来訪者と判断してロック装置２２のロックを解除して建物２内への入場を許可する。メモリ２４は、施設入口管理装置１０から送信される正当な入場処理を経た来訪者の人物ＩＤ情報を記憶するものである。ここで、制御部２３が、ＩＤ情報確認手段及びロック装置制御手段の機能を備える。尚、制御部２３及びメモリ２４は、建物２の近傍に配置してもよく、管理所１側に配置してもよい。
【００２８】
次に、本実施形態の入退場管理システムによる管理動作について説明する。
来訪者が徒歩の場合の入場時の管理動作を図３〜図４のフローチャートに従って説明する。
【００２９】
図３は施設入口管理装置１０の管理動作を示す。
ステップ１（図中Ｓ１で示し、以下同様とする。）では、カードリーダ１１が人物ＩＤを読込んだか否かを判定する。来訪者がカードリーダ１１にカードを挿入してカードリーダ１１から人物ＩＤが制御部１５に入力すれば判定がＹＥＳとなりステップ２に進む。
【００３０】
ステップ２では、入力した人物ＩＤとデータベース１７の登録情報を照合する。入力した人物ＩＤが登録されていれば施設への入場可と判断し、ステップ３の判定がＹＥＳとなり、ステップ４でゲート装置１４を開放して施設への入場を許可する。そして、ステップ５で、取得した人物ＩＤをメモリ１６に記憶し、ステップ６で、記憶した人物ＩＤを建物入口管理装置２０側に送信する。
【００３１】
尚、施設への入場の可否を判定する場合に、人物ＩＤが登録されている登録者であっても事前に来訪の予約情報がない場合には入場を拒否するようにしてもよい。また、来訪者に応じて入場可能な時間帯を設定して入場できる時間帯を限定するようにしてもよい。
【００３２】
また、人物ＩＤ情報を建物入口管理装置２０側に送信する場合、来訪者の人物ＩＤ情報に応じて入場できる建物或いは建物内の部屋等を限定し、入場可能な建物或いは建物内の部屋の入場を管理する建物入口管理装置だけに人物ＩＤ情報を送信するようにしてもよい。
【００３３】
図４は建物入口管理装置２０の管理動作を示す。
ステップ１１では、施設入口管理装置１０から送信された入場を許可した来訪者の人物ＩＤ情報をメモリ２４に記憶する。
【００３４】
ステップ１２では、カードリーダ２１が人物ＩＤを読込んだか否かを判定する。来訪者がカードリーダ２１にカードを挿入してカードリーダ２１から人物ＩＤが制御部２３に入力すれば判定がＹＥＳとなりステップ１３に進む。
【００３５】
ステップ１３では、入力した人物ＩＤがメモリ２４に記憶されているか否かを確認する。記憶されていれば施設入口で正当な入場処理を経た来訪者と判断し、ステップ１４の判定がＹＥＳとなり、ステップ１５で、ロック装置２２のロックを解除して建物２への入場を許可する。
【００３６】
以上のように、施設入口において正当な入場処理を経た来訪者か否かを確認して建物２への入場を許可するので、施設入口以外の場所等から不正に施設内に入場した場合には、建物２内には入場できず従来装置に比較してセキュリティが格段に向上する。また、不正に施設内に入場した者がカードリーダ２１に対して人物ＩＤの入力操作をした場合、不正入場者の存在を発見でき、警報等により通知するようにするとよい。
【００３７】
来訪者の施設入口における出場管理については、来訪者が出場時にカードリーダ１１にカードを挿入する。これにより、カードリーダ１１から出場する来訪者の人物ＩＤ情報を取得し、出場者の人物ＩＤ情報としてメモリ１６の出場者記録領域に記憶する。これにより、入場データと出場データを参照することで、施設内に来訪者が何人いるか管理することができる。
【００３８】
次に、来訪者が車両で来訪する場合の入場時の管理動作について説明する。尚、来訪者が車両を利用する場合は、車両に搭載した車載端末のカードリーダにより予め人物ＩＤ及び車両ＩＤを車載端末に入力して記憶させておく。以下では、車載端末に人物ＩＤ及び車両ＩＤが既に記憶されているものとして説明する。
【００３９】
図５は施設入口管理装置１０の管理動作を示す。
ステップ３１では、アンテナ１２から発生する電波に対する車両からの応答電波の有無に基づいて車両が通信エリアに進入したか否かを判定する。車両からの応答電波を受信すると車両検知と判定し、ステップ３２に進む。
【００４０】
ステップ３２では、車両に対してＩＤ情報の要求指令を送信する。
ステップ３３では、ステップ３２の要求指令に対して車両から送信される予め記憶されている人物ＩＤ及び車両ＩＤをアンテナ１２を介して受信する。
【００４１】
ステップ３４では、データベース１７の登録情報を参照して受信した車両ＩＤが営業車か一般車かを判定する。一般車と判定した場合は、ステップ３５に進み、受信した人物ＩＤ及び車両ＩＤとデータベース１７の登録情報を照合する。入力した人物ＩＤ及び車両ＩＤが登録されていれば施設への入場可と判断し、ステップ３６の判定がＹＥＳとなり、ステップ３７で、ゲート装置１４を開放して施設への入場を許可し、ステップ３８で、取得した人物ＩＤ及び車両ＩＤをメモリ１６に記憶し、ステップ３９で、記憶した人物ＩＤを建物入口管理装置２０側に送信する。
【００４２】
また、ステップ３４で営業車と判定された場合はステップ４０に進み、受信した人物ＩＤをデータベース１７の登録情報と照合する。入力した人物ＩＤが登録されていれば施設への入場可と判断し、ステップ４１の判定がＹＥＳとなり、ステップ４２で、ゲート装置１４を開放して施設への入場を許可し、ステップ４３で、取得した人物ＩＤをメモリ１６に記憶し、ステップ３９で、記憶した人物ＩＤを建物入口管理装置２０側に送信する。
【００４３】
建物入口管理装置２０における管理動作は、図４で説明した徒歩で来訪した場合と同様であるので、ここでは説明を省略する。
車両を利用した来訪者が施設を出る場合、以下の４つのケースが考えられる。
１）一般車で入場し、一般車で出場する場合。
２）一般車で入場し、営業車或いは徒歩で出場する場合。
３）営業車で入場し、営業車或いは徒歩で出場する場合。
４）営業車で入場し、一般車で出場する場合。
【００４４】
従って、車両を利用した来訪者が施設を出る場合の出場管理では、車両ＩＤと人物ＩＤを切り離して扱う。
即ち、１）と４）のケースでは、施設入口管理装置１０は受信した人物ＩＤ及び車両ＩＤを出場記録として保存する。２）のケースでは、施設入口管理装置１０は来訪者の出場時に人物ＩＤを出場記録として保存し、車両出場時に車両ＩＤを出場記録として保存する。３）のケースでは、施設入口管理装置１０は徒歩で入場した来訪者と同様に扱い、来訪者出場時に人物ＩＤを出場記録として保存する。
【００４５】
かかる構成によれば、来訪者だけでなく入場した一般車両についても管理することができる。
次に、人物認証装置を併用する場合について説明する。
【００４６】
以下に、車両内で人物認証を行う構成とした本発明の第２実施形態について説明する。
図６は、人物認証機能を備えた車載端末の構成を示すブロック図である。
【００４７】
図において、例えば送迎バス等の車両に搭載する車載端末３０は、カードリーダ３１と、個人認証情報取得端末３２と、制御部３３と、記憶手段であるメモリ３４と、通信装置３５と、アンテナ３６とを備えて構成される。
【００４８】
カードリーダ３１は、車両に搭乗した来訪者のカード挿入操作によりカードに記憶されている人物ＩＤ及び予め登録した個人認証情報を読取るためのものである。個人認証情報取得端末３２は、人物を識別するための身体的特徴（例えば、指紋、網膜、顔等）による個人認証情報を取得するためのものである。制御部３３は、個人認証情報取得端末３２から取得した来訪者の個人認証情報とカードリーダ３１から入力する個人認証情報とを比較して本人か否かを判定し、本人と認証したときにその人物ＩＤ情報をメモリ３４に記憶する。通信装置３５及びアンテナ３６は、施設入口管理装置１０と交信して車両ＩＤ及び来訪者の人物ＩＤを送信するためのものである。ここで、制御部３３と個人認証情報取得端末３２で人物認証手段を構成する。
【００４９】
次に、第２実施形態の入場時に管理動作を説明する。
図７に車載端末３０の動作を示す。
ステップ５１では、カードリーダ３１が人物ＩＤ及び個人認証情報を読込んだか否かを判定する。来訪者がカードリーダ３１にカードを挿入してカードリーダ３１から人物ＩＤ及び個人認証情報が制御部３３に入力すれば判定がＹＥＳとなりステップ５２に進む。
【００５０】
ステップ５２では、個人認証情報取得端末３２が来訪者の個人認証情報を読込んだか否かを判定する。個人認証情報取得端末３２から個人認証情報が制御部３３に入力すれば判定がＹＥＳとなりステップ５３に進む。
【００５１】
ステップ５３では、カードリーダ３１から読込んだ予め登録されている個人認証情報と個人認証情報取得端末３２で取得した個人認証情報とを照合する。照合の結果、本人であると認証すればステップ５４の判定がＹＥＳとなり、ステップ５５で、カードリーダ３１から取得した人物ＩＤをメモリ３４に記憶する。
【００５２】
このように、車両において来訪者の個人認証を行い、本人と認証した来訪者だけその人物ＩＤ情報を車載端末３０に記憶する。
施設入口では、車載端末３０に記憶した人物ＩＤを車両ＩＤと共に施設入口管理装置１０に送信する。施設入口管理装置１０での入場管理動作は、図５で説明した車両で来訪した場合と同様であり、建物入口管理装置２０での入場管理動作も同様であるので説明を省略する。
【００５３】
このように、身体的特徴により本人か否か認証する個人認証を併用することにより、より一層セキュリティ性の高い入退場管理システムを実現できる。また、送迎バス等による多数の人間の入場管理が容易にできる。
【００５４】
尚、本実施形態では、予め登録する個人認証情報をカードに記憶させる構成であるが、車載端末３０にデータベースを設けて登録者の個人認証情報を車載端末３０側に保存させる構成でもよい。
【００５５】
次に、施設入口管理装置１０及び建物入口管理装置２０で人物認証を行う構成とした本発明の第３実施形態について説明する。
本実施形態の施設入口管理装置１０及び建物入口管理装置２０は、図２の構成にそれぞれ個人認証情報取得端末３２を付加した構成となる。
【００５６】
図８は施設入口管理装置１０の管理動作を示す。
ステップ６１、６２は図７に示す車載端末３０の場合と同様で、カードリーダ１１が人物ＩＤ及び個人認証情報を読込んだか否かを判定し、カードリーダ１１から人物ＩＤ及び個人認証情報が制御部１５に入力すれば判定がＹＥＳとなりステップ６２に進み、個人認証情報取得端末３２が来訪者の個人認証情報を読込んだか否かを判定し、個人認証情報取得端末３２から個人認証情報が制御部１５に入力すれば判定がＹＥＳとなりステップ６３に進む。
【００５７】
ステップ６３では、カードリーダ１１から読込んだ個人認証情報と個人認証情報取得端末３２で取得した個人認証情報とを照合すると共に、人物ＩＤを照合する。照合の結果、本人であり且つ入場可の人物ＩＤと判定すれば、ステップ６４の判定がＹＥＳとなり、図３のステップ４〜６と同様に、ステップ６５で、ゲート装置１４を開放し、ステップ６６で、取得した人物ＩＤをメモリ１６に記憶し、ステップ６７で、記憶した人物ＩＤを建物入口管理装置２０側に送信する。
【００５８】
図９は建物入口管理装置２０の管理動作を示す。
ステップ７１で、施設入口管理装置１０から送信された入場を許可した来訪者の人物ＩＤ情報をメモリ２４に記憶する。
【００５９】
ステップ７２、７３で、カードリーダ２１で人物ＩＤ及び個人認証情報を、個人認証情報取得端末３２で個人認証情報を、それぞれ読込んだか否かを判定し、制御部１５に入力すれば判定がＹＥＳとなりステップ７４に進み、カードリーダ１１から読込んだ個人認証情報と個人認証情報取得端末３２で取得した個人認証情報とを照合すると共に人物ＩＤを確認する。認証結果が本人であり且つ人物ＩＤが確認されればステップ７５の判定がＹＥＳとなり、ステップ７６で、ロック装置２２のロックを解除して建物２への入場を許可する。
【００６０】
上記第３実施形態の場合も、予め登録する個人認証情報をカードではなく、施設入口管理装置１０のデータベースに記憶させる構成としてもよい。この場合、建物入口管理装置２０の個人認証で利用する登録個人認証情報は、建物入口管理装置２０に記憶させてもよく、施設入口管理装置１０のデータベース内の情報を利用するようにしてもよい。また、上記第３実施形態では、施設入口管理装置１０及び建物入口管理装置２０の両方で個人認証処理を行う構成としたが、施設入口管理装置１０及び建物入口管理装置２０のいずれか一方で個人認証処理を行う構成でもよい。また、図６及び図７で説明した第２実施形態のように車両で個人認証を行い、且つ、施設入口管理装置１０及び建物入口管理装置２０の少なくとも一方で個人認証処理を行う構成としてもよい。
【００６１】
第２及び第３実施形態の出場管理動作は、第１実施形態と同様であるので、説明を省略する。
尚、上述の各実施形態では、施設入口管理装置１０で入場許可した来訪者の人物ＩＤを建物入口管理装置２０に送信し、建物入口管理装置２０のメモリ２４に記憶させる構成としたが、建物入口管理装置２０において人物ＩＤを確認する際に、建物入口管理装置２０から施設入口管理装置１０に入力された人物ＩＤ情報を送信し、施設入口管理装置１０で照合動作を行い、その照合結果を建物入口管理装置２０側に送信して確認する構成としてもよい。この場合には、建物入口管理装置２０側のメモリ２４を省略できる。
【００６２】
また、カードを用いず、来訪者が人物ＩＤをテンキー等で入力するようにしてもよい。
また、アンテナのみ又はカードリーダのみを設備する構成であってもよい。
【００６３】
また、上述した各実施形態では、敷地と建物を含めて施設とした例で説明したが、本発明における施設は、建物自体であってもよい。即ち、上述の各実施形態における施設入口を建物入口に置き換え、建物入口を建物内の各部屋の入口に置き換え、建物入口で正当に入場が許可された人物のみに建物内の各部屋への入場を許可する構成としてものよい。
【００６４】
【発明の効果】
以上説明したように本発明によれば、施設入口で入場が許可されていることを確認して施設内の建物への入場を許可する構成としたので、施設入口で正当な処理を行わない場合には登録者であっても建物に入場することができない。また、不正入場者が建物入口管理手段に対して人物ＩＤの入力操作をした場合、不正入場者の存在を発見できる。従って、高いセキュリティ性を有する入退場管理システムを実現できる。
【００６５】
また、車載端末と交信で入場の可否を判定する構成とすれば、来訪者は車両から降りることなく入場手続きが可能となり、車両に乗ったまま施設内への入場が可能となる。
【００６６】
また、人物認証手段を設けて来訪者の本人認証を行う構成とすれば、より一層システムのセキュリティ性を高めることができる。
【図面の簡単な説明】
【図１】本発明に係る入退場管理システムを適用する施設の概略図
【図２】本発明に係る入退場管理システムの第１実施形態の構成を示すブロック図
【図３】徒歩で来訪した場合の施設入口管理装置の入場時の管理動作を説明するフローチャート
【図４】建物入口管理装置の入場時の管理動作を説明するフローチャート
【図５】車両で来訪した場合の施設入口管理装置の入場時の管理動作を説明するフローチャート
【図６】本発明に係る入退場管理システムの第２実施形態における車載端末の構成を示すブロック図
【図７】車載端末の動作を説明するフローチャート
【図８】本発明に係る入退場管理システムの第３実施形態の施設入口管理装置の入場時の管理動作を説明するフローチャート
【図９】第３実施形態の建物入口管理装置の入場時の管理動作を説明するフローチャート
【符号の説明】
１０    施設入口管理装置
１１、２１、３１    カードリーダ
１２、３６    アンテナ
１３、３５    通信装置
１４    ゲート装置
１５、２３、３３    制御部
１６、２４、３４    メモリ
１７    データベース
２０    建物入口管理装置
２１    ロック装置
３２    個人認証情報取得端末
【図１】
2004318576.tif 000003
【図２】
2004318576.tif 000004
【図３】
2004318576.tif 000005
【図４】
2004318576.tif 000006
【図５】
2004318576.tif 000007
【図６】
2004318576.tif 000008
【図７】
2004318576.tif 000009
【図８】
2004318576.tif 000010
【図９】
2004318576.tif 000011